(57)【要約】【課題】  プロジェクタ装置の大画面を有効に利用し、ある時は画面分割制御を行ない、複数の画像を参照、比較しながらの効果的なプレゼンテーションや画像鑑賞が可能とすること。【解決手段】  画像信号を発信する複数の画像発信機（２ａ，２ｂ）の画像信号を入力するための複数の入力端子（１ａ，１ｂ）を有し、複数の入力端子からの複数の画像信号を並べて再生表示可能なプロジェクタ装置において、入力端子の入力信号を判定する判定手段と、上記入力信号判定手段の出力結果に基いて、上記複数画像を並べて表示する第１の表示モードと、一方の画像のみを表示する第２の表示モードとを切換える切換手段(Ｓ１，Ｓ３)とを有する。【選択図】  図４
2006330468.tif 000002
【特許請求の範囲】
【請求項１】
画像信号を発信する複数の画像発信機の画像信号を入力するための複数の入力端子を有し、上記複数の入力端子からの複数の画像信号を並べて再生表示可能なプロジェクタ装置において、
上記入力端子の入力信号を判定する判定手段と、
上記入力信号判定手段の出力結果に基いて、上記複数画像を並べて表示する第１の表示モードと、一方の画像のみを表示する第２の表示モードとを切換える切換手段とを有することを特徴とするプロジェクタ装置。
【請求項２】
複数画像を並べて表示する第１の表示モードの際に、上記複数の画像の一方の画面の切換えが行われた時には別の画面の画像は切換えを禁止する禁止手段を具備したことを特徴とする請求項１記載のプロジェクタ装置。
【請求項３】
複数画像を並べて表示する第１の表示モードの際に、上記複数の画面の一方の画面の拡大が行われた時には、別の画面の画像は縮小して、上記拡大画面で隠れないようにする拡大縮小制御手段とを具備したことを特徴とする請求項１記載のプロジェクタ装置。
【請求項４】
画像信号を発信する複数の画像発信機の画像信号を入力するための複数の入力端子を有し、上記複数の入力端子からの複数の画像信号を並べて再生表示可能なプロジェクタ装置において、
上記複数の入力端子の一方の入力信号を判定する判定手段と、上記一方の入力信号判定結果に基いて、他方の入力端子に入力された画像信号を表示、非表示を切換制御する切換制御手段と、
を具備することを特徴とするプロジェクタ装置。
【請求項５】
複数の画像信号を入力するための複数の画像入力端子を有し、これら複数の画像入力端子から入力される複数の画像信号にそれぞれ対応する複数の画像を複数の態様にて表示可能なプロジェクタ装置において、
上記複数の画像入力端子に接続され、上記複数の画像信号の状態をそれぞれ判定する判定手段と、
上記複数の画像入力端子に接続され、上記判定手段の出力に応じて画像表示態様を決定する加工手段と、
を具備することを特徴とするプロジェクタ装置。
【請求項６】
上記加工手段による上記複数の表示態様は、略同一の画面サイズで全画面を並べて表示する態様と、何れか一画面のみを拡大表示し、残りは縮小表示する態様と、何れか一画面のみを表示する態様とを含むことを特徴とする請求項５記載のプロジェクタ装置。
【請求項７】
上記判定手段は、上記入力される複数の画像信号の継続状態、または画像変更の有無を検出することを特徴とする請求項５記載のプロジェクタ装置。
【請求項８】
複数機器からの画像信号をそれぞれ入力するための複数の入力端子を有し、上記複数の画像信号にそれぞれ対応する複数の画像を並べて再生可能なプロジェクタ装置の制御方法において、
上記複数の入力端子に入力される複数の画像信号のうち、一の画像信号の状態を判定し、
この判定結果に基いて、残りの画像信号の表示・非表示を切換えることを特徴とする制御方法。
【発明の詳細な説明】
【技術分野】
【０００１】
本発明は、複数の機器から画像信号を１台のプロジェクタに対して送信し、この信号に基いて拡大マルチ画面、表示を行いながら効果的な画面切換えを行うプロジェクタ装置の改良に関する。
【背景技術】
【０００２】
複数のパソコンを利用して１台のプロジェクタ装置を用いて投射する技術は知られている(例えば、特許文献１参照)。
【特許文献１】特開２００３−３３０４３６
【発明の開示】
【発明が解決しようとする課題】
【０００３】
しかし、前記公報記載の装置は、システムが複雑であらかじめどの画像の画像投射を行うかの順序の設定が必要であった。従って、投影時の自由度が小さかった。
【０００４】
本発明は上記の点に鑑みてなされたもので、その目的は、複数の画像を並置表示、単一画面表示、拡大／縮小表示することにより、それらを比較・参照しつつ効果的なプレゼンテーションを行うことができるプロジェクタ装置を提供することにある。
【課題を解決するための手段】
【０００５】
請求項１記載の発明は、画像信号を発信する複数の画像発信機の画像信号を入力するための複数の入力端子を有し、上記複数の入力端子からの複数の画像信号を並べて再生表示可能なプロジェクタ装置において、上記入力端子の入力信号を判定する判定手段と、上記入力信号判定手段の出力結果に基いて、上記複数画像を並べて表示する第１の表示モードと、一方の画像のみを表示する第２の表示モードとを切換える切換手段とを有することを特徴とする。
【０００６】
請求項２記載の発明は、請求項１記載の複数画像を並べて表示する第１の表示モードの際に、上記複数の画像の一方の画面の切換えが行われた時には別の画面の画像は切換えを禁止する禁止手段を具備したことを特徴とする。
【０００７】
請求項３記載の発明は、請求項１記載の複数画像を並べて表示する第１の表示モードの際に、上記複数の画面の一方の画面の拡大が行われた時には、別の画面の画像は縮小して、上記拡大画面で隠れないようにする拡大縮小制御手段とを具備したことを特徴とする。
【０００８】
請求項４記載の発明は、画像信号を発信する複数の画像発信機の画像信号を入力するための複数の入力端子を有し、上記複数の入力端子からの複数の画像信号を並べて再生表示可能なプロジェクタ装置において、上記複数の入力端子の一方の入力信号を判定する判定手段と、上記一方の入力信号判定結果に基いて、他方の入力端子に入力された画像信号を表示、非表示を切換制御する切換制御手段と、を具備することを特徴とする。
【０００９】
請求項５記載の発明は、複数の画像信号を入力するための複数の画像入力端子を有し、これら複数の画像入力端子から入力される複数の画像信号にそれぞれ対応する複数の画像を複数の態様にて表示可能なプロジェクタ装置において、上記複数の画像入力端子に接続され、上記複数の画像信号の状態をそれぞれ判定する判定手段と、上記複数の画像入力端子に接続され、上記判定手段の出力に応じて画像表示態様を決定する加工手段と、を具備することを特徴とする。
【００１０】
請求項６記載の発明は、請求項５記載の加工手段による上記複数の表示態様は、略同一の画面サイズで全画面を並べて表示する態様と、何れか一画面のみを拡大表示し、残りは縮小表示する態様と、何れか一画面のみを表示する態様とを含むことを特徴とする。
【００１１】
請求項７記載の発明は、請求項５記載の判定手段は、上記入力される複数の画像信号の継続状態、または画像変更の有無を検出することを特徴とする。
【００１２】
請求項８記載の発明は、複数機器からの画像信号をそれぞれ入力するための複数の入力端子を有し、上記複数の画像信号にそれぞれ対応する複数の画像を並べて再生可能なプロジェクタ装置の制御方法において、上記複数の入力端子に入力される複数の画像信号のうち、一の画像信号の状態を判定し、この判定結果に基いて、残りの画像信号の表示・非表示を切換えることを特徴とする。  
本発明によれば、プロジェクタ装置の大画面を有効に利用し、ある時は画面分割制御を行ない、複数の画像を参照、比較しながらの効果的なプレゼンテーションや画像鑑賞が可能となる。
【発明を実施するための最良の形態】
【００１３】
以下図面を参照して本発明の一実施の形態について説明する。図１を参照して、プロジェクタ装置のブロック図について説明する。図１において、１は投影拡大画像６を表示するプロジェクタである。このプロジェクタ１は、画像信号を送信する例えばパーソナルコンピュータのような複数の機器（ここではＡ，Ｂ）である画像送信手段２ａ，２ｂの信号を受信し、それらの信号を加工手段４で加工再生して表示手段５で画像を投影画像６に変換する。以降、画像送信手段２ａ，２ｂをＰＣ２ａ，２ｂとも呼ぶ。
【００１４】
前記２つの画像送信手段２ａ，２ｂからの入力端子１ａ，１ｂを介して入力される信号は、プロジェクタ１の判定手段３に入力される。この判定手段３は、画像送信手段２ａ，２ｂからの入力信号を判定し、この判定結果によって加工手段４による画像加工の方法を切換える。例えば、加工手段４は、判定手段３の判定結果によって、投影画像６として略同一の画面サイズで全画面を並べて表示する態様と、何れか一画面のみを拡大表示し、残りは縮小表示する態様と、何れか一画面のみを表示する態様に切換える。この判定手段３及び加工手段４は、専用の画像処理回路やマイクロコントローラーを含むＡＳＩＣで構成されている。
【００１５】
表示手段５は、液晶やＤＭＤなど電気信号によって画素ごとに色や明暗を変更できる表示素子や光源となるランプやＬＥＤ、投影レンズや、上記表示素子に光を投射する照明光学系等からなる。
【００１６】
以上のように構成されたこの実施の形態の動作を図２を参照しながら説明する。図２は、プロジェクタシステムを用いて投影画像６を見ながら打ち合わせをしている様子を示す。
【００１７】
２人のユーザー１０ａ，１０ｂは画像送信手段２ａ，２ｂを操作して、プロジェクタ１で再生される画像の切換えを行っている。
【００１８】
例えばユーザー１０ａがプレゼンターである時、あらかじめ作ってあった資料の他に、ユーザー１０ｂがＰＣ２ｂ内に持っている資料を参照して投射したいことがある。これは、ユーザー１０ａがあらかじめ予測していれば手持ちの資料の中に入れておくこともできるが、参加者１１ａ，１１ｂの意見や質問によってこうした用意していなかった資料をプレゼンテーション時に参考にするようなシーンも数多く見受けられる。
【００１９】
つまり、プレゼンター１０ａは図３（ａ）のようなグラフ６ａを表示している時に参加者１１ａがプレゼンター１０ａ自身は持っていないが、プレゼンター以外の人物１０ｂがＰＣ２ｂの中に保持している資料の画像６ｂが見たくなるという状況がある。
【００２０】
従来、このようなシーンでは一度プロジェクタ１の入力を繋ぎ替えたりして６ａの画像を消して、６ｂの画像を投射表示するような事が行われていた。
【００２１】
しかし、これではプレゼンテーションの流れが滞ったり停止したりしがちであった。本発明ではこのような状況では、図３（ｂ）のようにメインの６ａの画像に並べて、新たに参考画像６ｂをユーザー１０ｂのＰＣ２ｂからプロジェクタ１に投射できるようにした。
【００２２】
これによって、プレゼンテーションの流れをそこなう事なく、見ている人の気になる点を即座に納得してもらいながら円滑にプレゼンテーションを続け、画像を切換えていく事ができる。
【００２３】
この時、２人のユーザー１０ａ，１０ｂが同時にプロジェクタ１を操作している事になるので、本発明では２人が同時に違う操作をして画像が重なってしまったり先に送られてしまったりしてプレゼンテーションの流れがとどこおってしまう事を防止している。つまり、こうした会議の中でのコミュニケーションは口頭で行なわれており、画面の変更をこうした口頭での合図なしにそれぞれのＰＣから行なうと同時に画面が変化したりして、何が起こったかわからなくなってしまう。例えば、図３（ａ）から（ｂ）のような画面になったあと、本発明ではいきなり、図３（ｄ）のような両方の画面が同時に変化してプレゼンテーションの流れが乱れるのを防止している。まず、図３（ｂ）の画面からは図３（ｅ）の全画面表示に戻るか図３（ｃ）のように一方の画面を切換えてからでないと、図３（ｄ）のような画面にはならないようにしている。同時に切換えるような効果が必要な時は、ユーザーがあらかじめ一方のＰＣにそうした効果までを踏まえての資料を作成しておくべきで、本発明の主旨は、あくまで予期せぬ別資料提示時に円滑に対応する所にある。
【００２４】
このような制御を図４のフローチャートを参照して説明する。プロジェクタ１の判定手段３は入力信号の入り方によって図４のようなフローチャートの処理により画像の表示切換えを行う。
【００２５】
まず、一方のＰＣ２ａの入力画像の表示が行われる(第２の表示モード)(ステップＳ１)。別のユーザ１０ｂが別のＰＣ２ｂをプロジェクタ１につなぐと、サブ画像が参照されたかが判定される(判定手段)(ステップＳ２)。つまり、２つの画像が入力された事が判定される。この時、先につないでいたＰＣ２ａの画像は消さずに、図３（ｂ）に示すように２つの画像が並べて表示される(第１の表示モード)(ステップＳ３)。これによって、別のユーザー１０ｂの意志が入って来ても本来のユーザー１０ａの意志が無視される事はない。
【００２６】
どちらかのユーザーが別の画面に切換えようとして別の画像が参照されたかが判定される(ステップＳ４)。このステップＳ４の判定で「ＹＥＳ」と判定された場合には、図３（ｃ）に示すように一方の画面を切り換え、他方の画面はそのままとしている(禁止手段)(ステップＳ５)。このようにすることにより、別の画面を消してしまうような事はない。
【００２７】
一方、ステップＳ４の判定で「ＮＯ」と判定された場合には、ステップＳ２の処理に戻る。
【００２８】
そして、一方のユーザーが信号入力をやめると、このステップＳ４の判定で「ＮＯ」と判定されてステップＳ６に進む。このステップＳ６において、投射が終了したかが判定される。このステップＳ６の判定で「ＮＯ」と判定された場合には、ステップＳ１に戻り、図３（ｃ）に示すようにもう一方の画像の表示はメイン画像として表示が継続される。
【００２９】
ところで、ステップＳ６の判定で「ＮＯ」、つまり両方の画像入力がなくなると判定されると、表示は終了する。
【００３０】
次に、図５のフローチャートを参照して図４のフローチャートにおける分岐判断Ｓ２，Ｓ４の判定方法について詳細に説明する。
【００３１】
ＰＣ２ａ，２ｂとプロジェクタ１が細かい通信を行えば色々な判定方法があるが、ここでは単純なＲＧＢ信号により判定している。例えば図５のような判定によって、図４のＳ２で示したようなサブ画面を参照するか否かの判定が可能である。
【００３２】
まず、例えばプロジェクタ１の電源を入れた状態などプロジェクタ１内の信号入力部(図示しない)からの信号レベル（ノイズレベル）を検出して記憶しておく(ステップＳ１１)。そのレベルをＩo とする。
【００３３】
次に、このレベルＩo と信号入力部に現在入力Ａあるいは入力Ｂとして入力されている画像信号のレベルを比較する(ステップＳ１２,Ｓ１３)。入力Ａあるいは入力Ｂの画像信号のレベルがレベルＩoより小さければ画像信号の入力が無いと判定される。
【００３４】
そして、ステップＳ１２及び１３の判定でいずれも「ＹＥＳ」と判定された場合のみサブ画面が参照されたと判定される(ステップＳ１４)。
【００３５】
一方、ステップＳ１２あるいは１３において「ＮＯ」と判定された場合には、サブ画面の参照は無いと判定される(ステップＳ１５)。
【００３６】
次に、図６を参照して図４のステップＳ４の画面切換判定について説明する。つまり、あらかじめ記録していたこれまで表示していた画像信号ＩＡ，ＩＢ を読み出す(ステップＳ２１，Ｓ２２)。そして、入力Ａの画像信号と画像信号ＩＡとを比較する(ステップＳ２３)。
【００３７】
そして、入力Ａの画像信号と画像信号ＩＡに対して変化が有るかが判定される(ステップＳ２４)。
【００３８】
このステップＳ２４の判定で「ＮＯ」と判定された場合には、入力Ｂの画像信号と画像信号ＩＢとを比較する(ステップＳ２６)。
【００３９】
そして、入力Ｂの画像信号と画像信号ＩＢに対して変化が有るかが判定される(ステップＳ２６)。
【００４０】
ステップＳ２４及び２６において、いずれも「ＮＯ」と判定された場合には、別画面参照なしと判定される(ステップＳ２７)。
【００４１】
一方、ステップ２４あるいは２６において「ＮＯ」と判定された場合には、変化後の信号をそれぞれ画像信号ＩＡ,ＩＢとして記録して次の変化を判定する時の基準として保持しておく(ステップＳ２８)。別の画面の参照を行なう(ステップＳ２９)。このステップＳ２９の処理により、
つまり、図３（ｂ）のような表示から、図３（ｃ）のような表示に切換える事で、各入力信号を並べた形で合成表示できるように画像加工するものである。
【００４２】
このように、画像信号の変化の判定のみで、複雑な通信を行うことなく画像の合成や切換えの制御開始を決定することができる。これによって受信側（プロジェクタ１側）の判定のみで画像切換えを可能とし、システムを単純化することが可能となる。
【００４３】
次に、プロジェクタ１で２つの画像を表示させておき、一方の画像を拡大させ、他方の画像を縮小させる動作について図７及び図８を参照して説明する。
【００４４】
図７において、あらかじめ入力されている入力信号Ｉ1 を読み出し(ステップＳ３１)、現在入力されている信号と比較する(ステップＳ３２)。
【００４５】
そして、無信号であるかを判定する(ステップＳ３３)。このステップＳ３３において、「ＹＥＳ」と判定、つまり無信号になったと判定すると、タイマーリセットし(ｔ＝０)(ステップＳ３４)、無信号時間をタイマtでカウントする(ステップＳ３５)。
【００４６】
そして、再度信号判定を行なう（ステップＳ３６）。このステップＳ３６において「ＮＯ」、つまり無信号ではないと判定されると、分岐所定時間内に再度入力されてきた信号ＩがステップＳ３１の信号Ｉ１ と同じであるかが判定される(ステップＳ４１)。
【００４７】
このステップＳ４１において、「ＹＥＳ」と判定された場合には、この信号の画像を拡大表示し、マルチ表示時のもう一方の画像は、縮小して重なって見えなくなるのを防止している(拡大縮小制御手段)（ステップＳ４２，Ｓ４３）。
【００４８】
一方、ステップＳ４１において「ＮＯ」、つまりこの信号が別信号と判定された場合には、拡大は行なわず通常の表示を行う(ステップＳ４５)。
【００４９】
なお、ステップＳ３７で「ＹＥＳ」と判定、つまり無信号判定時、所定時間ｔ1 を超えて信号が入ってこないかが判定される(ステップＳ３８)。このステップＳ３８において「ＹＥＳ」と判定されると、表示そのものを終了する。なお、このステップＳ３８において「ＮＯ」と判定されると前述のステップＳ３５の処理に戻る。
【００５０】
このように画像信号のみを使いその拡大表示する画像信号をＯＮ／ＯＦＦの制御によって、新しく信号ラインを増設することなく図８（ａ）のようなマルチ画像の一方画像２１aを図８（ｂ）の画像２１ｂのように拡大表示制御させ、図８（ａ）のようなマルチ画像の他方の画像２２aを図８（ｂ）の画像２２ｂのように拡大表示制御させることができる。
【００５１】
このようにして、プロジェクタ１に対し、入力させる画像信号の入力をＯＮ／ＯＦＦする切換えのみで一方の画像を拡大させて、それ以外の制御信号ラインを増設したりせずに効果的な画面分割表示を行うことができる。
【００５２】
このように、画像信号の入力状態のみで判定しているので従来例のように複雑な通信機器設定の手続き等複雑な通信プロトコルの操作が必要なくプロジェクタ１内部のマイクロコントローラーの設計のみで対応でき、送信側の機器を設け変更する必要がない。
【００５３】
次に、図９及び図１０を参照してプロジェクタ１により表示された２つの画像のうち、一方の画像を非表示する実施例について説明する。
【００５４】
この実施例は、画像を送信する２つの機器のうち一方のＰＣのみに画像参照の権限が設けられており、もう一方のＰＣからはプロジェクタ画面の切換えを一部操作できないように制限するようにして、プレゼンターが権限を持ったＰＣを操作して、全体のプレゼンテーションの流れを乱さないように工夫している。
【００５５】
この実施例の動作について説明する。まず、一方のＰＣ２ａからの画像Ａが入力されているかどうかをプロジェクタ１は判定する(ステップＳ５１)。このステップＳ５１の判定で「ＹＥＳ」と判定された場合には、図１０（Ａ）に示すようにこの画像Ａを表示する(ステップＳ５２)。
【００５６】
一方、ステップＳ５１の判定で「ＮＯ」と判定された場合には、画像表示は行なわない(ステップＳ５９)。
【００５７】
この画像Ａは、プレゼンターが操作するＰＣ２ａから入力されており、画像Ｂが入力されていてもこれは他のユーザーのＰＣ２ｂの出力なのでプレゼンターは参照のみに利用するようにし、その旨の操作を行なわなければ画像Ｂの表示は行わない。
【００５８】
他のユーザーのＰＣ２ｂに入っている画像Ｂを表示するには、画像Ａが入力表示されている状態（ステップＳ５２以降）で、以下に述べる処理を行うことによりなされる。
【００５９】
つまり、画像Ａが入力表示されている状態(ステップＳ５２)で、画像Ｂが入力されたかが判定される(ステップＳ５３)。このステップＳ５３において「ＹＥＳ」と判定された場合には、画像Ａの入力を瞬間的に遮断する瞬断する操作がなされたかが判定される(ステップＳ５４)。このステップＳ５４において「ＹＥＳ」と判定された場合には、図１０(ｂ)に示すように画像Ａ,Ｂが並べて表示される(ステップＳ５５)。
【００６０】
ここで、他のユーザーが拒絶する時は、その意志を重視できる。つまり、画像Ｂの入力を行わないと画像Ａ,Ｂは並べて表示されない。
【００６１】
そして、図１０（ｂ）に示すように画像Ａ，Ｂを並べて表示された状態において、ステップＳ５４と同じ画像Ａの入力の瞬断操作がなされたかが判定される(ステップＳ５６)。このステップＳ５６において「ＹＥＳ」と判定されると、図１０（ａ）に示すように画像Ａのみ表示される(ステップＳ５７)。
【００６２】
一方、ステップＳ５６の判定で「ＮＯ」と判定されると、画像Ａが入力されているかが判定される(ステップＳ５８)。このステップＳ５８の判定で「ＹＥＳ」と判定された場合、つまり画像Ａが継続して入力されていると判定された場合には、図１０（ｂ）に示すように画像Ａ，Ｂが並べて表示される(ステップＳ５５)。
【００６３】
一方、ステップＳ５８の判定で「ＮＯ」と判定されると、画像を非表示させる処理が行われる(ステップＳ５９)。
【００６４】
以上説明したようにこの実施の形態によれば一方のＰＣを操作する人がホストとなり、画面の分割／解除のコントロールを行うことができ、プレゼンテーションの流れを仕切ることができる。またもう一方のユーザーの著作権や意志表示の問題も考慮された構成となっている。
【００６５】
次に、図１１を参照して、このようなマルチ画面表示時の画像の縮小について説明する。
【００６６】
図１１（ａ）のような明暗がｘ１〜８、ｙ１〜６として示した各画素に像として形成されている時（ｘ，ｙ）＝（１，１）（１，２）（２，１）（２，２）の２×２の４画素で示されている像を１つの画素で表わすと、図１１（ｂ）のような１／４の画像ができる。また、（ｘ，ｙ）＝（１，１）（１，２）（１，３）（２，１）（２，２）（２，３）（３，１）（３，２）（３，３）の３×３の９画素で示されている領域を（ｘ，ｙ）＝（１，１）（１，２）（２，１）（２，２）の２×２の４画素で表現すると、１辺２／３の大きさの縮小画像が形成できる。このような表示の縮小に従って、２画面を１つの投影画面上に表示すると、図１３（ａ）〜（ｃ）のように、各々１辺１／３と１辺２／３の２画像表示、１辺１／２、１辺１／２の２画像表示、１辺２／３と１辺１／３の２画面表示と、２つの画像Ａ,Ｂの大きさの比率を選んで表示できるプロジェクタが提供できる。
【００６７】
このような２画像の比率切換えについて図１２のフローチャートを参照して説明する。例えば、プレゼンターのＰＣと、もう１人の所有するＰＣから画像信号が入力されている状態での比率切換方法について説明する。画像ＡはＰＣで表示する内容を切換えれば逐次表示変更できるが、画像Ｂの内容は、ステップＳ７０でのみ更新される。
【００６８】
まず、プレゼンターがＰＣの画像外部出力（プロジェクタ１への入力）を１瞬ＯＦＦさせて再度ＯＮさせる操作を判定する(判定手段)(ステップＳ６１)。そして、その操作回数が1回目であるか(ステップＳ６２)、２回目であるか(ステップＳ６３)、３回目であるかを判定する(ステップＳ６４)。
【００６９】
ここで、ステップＳ６２で「ＹＥＳ」と判定される１回の操作では、画像Ｂを取り込み(ステップＳ７０)、図１３（ａ）のようなＡ，Ｂ画像の比率が１／３：２／３となる表示が行なわれる(ステップＳ７１)。
【００７０】
一方、ステップＳ６３の判定で「ＹＥＳ」と判定される２回の操作判定では、図１３（ｂ）のような各画像１／４：１／４（図１１（ａ）→（ｂ）のような縮小）となる表示がなされる。
【００７１】
また、ステップＳ６４の判定で「ＹＥＳ」と判定される３回の操作判定では、各画像を縮小加工し図１３（ｃ）のようなＡ画像とＢ画像が２／３：１／３となる表示が行なわれる。この比率切換えではＢ画像の更新は行なわない。
【００７２】
また、再度、同時の操作を判定すると、プレゼンターのＰＣからのＡ画像のみ表示するようにする。Ａ，Ｂ各画像は各ＰＣの画像信号切換えによって、独立に切換えられるようになっているが、Ｂの画像はプレゼンテーションの混乱を避けるためにプレゼンターの意志によってしか、更新されないようにしている。
【００７３】
このように、本実施の形態では、プレゼンターのＰＣをホストとして、もう１台のＰＣの画像の表示をコントロールして、なおかつその大きさの切換えを簡単な構成にて実現することができる。
【００７４】
以上説明したように、プロジェクタの大画面を有効に利用し、ある時は画面分割制御を行ない、複数の画像を参照、比較しながらの効果的なプレゼンテーションや画像鑑賞が可能となる。
【００７５】
また、各々の送信機器をあやつる人が、各々別の判断で画像を変更しようとするとお互いに相手の思惑がわからず、画面の同時変更等が行なわれ、見ている鑑賞者にも混乱をまねくが本発明では、こうしたアクシデントを防止しあたかも一台の操作手段で制御がされているように画面を切換えることができる。
【図面の簡単な説明】
【００７６】
【図１】本発明の一実施の形態に係るプロジェクタ装置のシステム構成を示すブロック図。
【図２】同実施の形態に係るプロジェクタ装置の使用環境を説明するための図。
【図３】同実施の形態に係る投影された画像を説明するための図。
【図４】第１の実施の形態の動作を説明するためのフローチャート。
【図５】図４のフローチャートのステップＳ２の詳細な動作を説明するためのフローチャート。
【図６】図４のフローチャートのステップＳ４の詳細な動作を説明するためのフローチャート。
【図７】第２の実施の形態の動作を説明するためのフローチャート。
【図８】同第２の実施の形態において投影された画像を説明するための図。
【図９】第３の実施の形態の動作を説明するためのフローチャート。
【図１０】同第３の実施の形態において投影された画像を説明するための図。
【図１１】同第３の実施の形態の動作を説明するための図。
【図１２】第４の実施の形態の動作を説明するためのフローチャート。
【図１３】同第４の実施の形態において投影された画像を説明するための図。
【符号の説明】
【００７７】
１…プロジェクタ、２ａ，２ｂ…画像送信手段(ＰＣ)、３…判定手段、４…加工手段、５…表示手段。
【図１】
2006330468.tif 000003
【図２】
2006330468.tif 000004
【図３】
2006330468.tif 000005
【図４】
2006330468.tif 000006
【図５】
2006330468.tif 000007
【図６】
2006330468.tif 000008
【図７】
2006330468.tif 000009
【図８】
2006330468.tif 000010
【図９】
2006330468.tif 000011
【図１０】
2006330468.tif 000012
【図１１】
2006330468.tif 000013
【図１２】
2006330468.tif 000014
【図１３】
2006330468.tif 000015